(57)【特許請求の範囲】
【請求項１】
上部を開口した複数のポット部を繋ぎ部に有するとともに、各ポット部の底部に孔を有し、さらに繋ぎ部を介して各ポット部を支持する脚部を有し、さらに脚部を載置する設置面と前記各ポット部の底部との間に隙間が生じるように形成した育苗用トレーにおいて、
前記隙間を保持するように形成した補助脚本体に通気孔を形成するとともに、この補助脚本体の一端部に、前記ポット部の底部の孔に嵌着する嵌着部を形成したことを特徴とする育苗用トレーにおける補助脚。
【請求項２】
上部を開口した複数のポット部を繋ぎ部に有するとともに、拡張孔部を対向する位置に形成した孔を各ポット部の底部に有し、かつ、各ポット部の中の前記各拡張孔部の傍の対向する位置にストッパーを有するとともに、この各ストッパーと所定間隔を以って形成した傾斜部を有し、さらに前記繋ぎ部を介して各ポット部を支持する脚部を有するとともに、脚部を載置する設置面と前記各ポット部の底部との間に隙間が生じるように形成した育苗用トレーにおいて、
前記隙間を保持するように形成した補助脚本体に通気孔を形成するとともに、この補助脚本体の一端部に、前記ポット部の底部によって形成した孔の各拡張孔部から挿入して補助脚本体を所定角度回すことにより、前記各ストッパーと傾斜部との間に嵌まり込んで係止する係止部と、この係止部に隣接形成され前記底部の孔の周辺部に嵌合する嵌合溝部とからなる嵌着部を形成したことを特徴とする育苗用トレーにおける補助脚。
【発明の詳細な説明】
【０００１】
【発明の属する技術分野】
本発明は、各種植物の苗を育成する育苗用トレーに取り付ける育苗用トレーの補助脚に関するものである。
【０００２】
【従来の技術】
園芸農家等において種や苗を育成する場合、従来は合成樹脂で形成された植木鉢状のポットに、用土を充填して種や苗を植え付けていた。しかし、前記ポットでは、通気性や水はけが悪く、また寒暖の変化によって内壁面に結露が生じるため、主に主根ばかりが内壁面に張り付くように長く伸びてしまい、養分や水分の吸収に重要な働きをする肝心の毛根(細根)の成長を害していた。
【０００３】
そこで、現在は図１０、図１１に示すような育苗用トレー１によって苗を育てている。この育苗用トレー１は、合成樹脂で全体を一体的に形成されたものであり、四隅に脚部２を有する平面視長方形状で、平面部１１（繋ぎ部）に複数の植木鉢状のポット部３を縦・横方向に規則正しく形成してある。各ポット部３は、それぞれ独立したものであって、底部４に孔５を有し、この孔５以外の底部４の部分６に多数の小孔７を有し、さらに側壁部８に複数のスリット９を有してある。また、各ポット部３は、脚部２を介して育苗用トレー１を例えば地面に載置したときに、底部４と地面との間に数センチの隙間が生じるように形成してある。
【０００４】
この育苗用トレー１を使用する場合は、各ポット部３に用土を充填し、苗を植え付けて育成する。各ポット部３の側壁部８および孔５以外の底部４の部分６には、スリット９や小孔７が形成されているので、通気性や水はけが良く、前記した従来のポットのように結露が側壁部８の内面に付着するといったこともなく、良好な状態で苗を育成することができる。
【０００５】
さらに、各ポット部３は、底部４と地面との間に数センチの隙間が生じるように形成されているので風通しも良く、苗の生育に良好な環境を保持することができる。
【０００６】
ところが、前記育苗用トレー１は、合成樹脂によって形成されているため、使用している間に用土等の重みによって中央部分に大きな撓みが生じ、ポット部３と地面との間の隙間がなくなってしまうことがある。そのため、ポット部３の下の風通しも悪くなり、苗の生育に悪影響を与えるといった懸念があった。
【０００７】
【発明が解決しようとする課題】
本発明は前記のような実情に鑑みて開発されたものであり、その目的とするところは、使用中の育苗用トレーの撓みによる各ポット部の垂れ下がりを阻止して、ポット部の下の風通しを常に良好な状態に保持し、前記トレーによる苗の生育環境を損なうことのないようにする育苗用トレーにおける補助脚を提供することにある。
【０００８】
【課題を解決するための手段】
本発明は前記のような目的を有効に達成するために、次の様な構成にしてある。すなわち、請求項１の本発明の育苗用トレーにおける補助脚は、上部を開口した複数のポット部を繋ぎ部に有するとともに、各ポット部の底部に孔を有し、さらに繋ぎ部を介して各ポット部を支持する脚部を有し、さらに脚部を載置する設置面と前記各ポット部の底部との間に隙間が生じるように形成した育苗用トレーにおいて、前記隙間を保持するように形成した補助脚本体に通気孔を形成するとともに、この補助脚本体の一端部に、前記ポット部の底部の孔に嵌着する嵌着部を形成したことを特徴とする構成にしてある。
【０００９】
請求項２の本発明の育苗用トレーにおける補助脚は、上部を開口した複数のポット部を繋ぎ部に有するとともに、拡張孔部を対向する位置に形成した孔を各ポット部の底部に有し、かつ、各ポット部の中の前記各拡張孔部の傍の対向する位置にストッパーを有するとともに、この各ストッパーと所定間隔を以って形成した傾斜部を有し、さらに前記繋ぎ部を介して各ポット部を支持する脚部を有するとともに、脚部を載置する設置面と前記各ポット部の底部との間に隙間が生じるように形成した育苗用トレーにおいて、前記隙間を保持するように形成した補助脚本体に通気孔を形成するとともに、この補助脚本体の一端部に、前記ポット部の底部によって形成した孔の各拡張孔部から挿入して補助脚本体を所定角度回すことにより、前記各ストッパーと傾斜部との間に嵌まり込んで係止する係止部と、この係止部に隣接形成され前記底部の孔の周辺部に嵌合する嵌合溝部とからなる嵌着部を形成したことを特徴とする構成にしてある。
【００１０】
【発明の実施の形態】
以下、本発明の実施の形態を図に基づいて説明する。
図１は本発明の１例の補助脚の斜視図であり、図２は本発明の１例の補助脚の縦断面図であり、図３は本発明の１例の補助脚の平面図であり、図４は本発明の１例の補助脚を育苗用トレーの所望のポット部に取り付けた場合の縦断面図であり、図５は他の例の補助脚の斜視であり、図６は他の例の補助脚を取り付けたポット部の底部をポット部内から見た説明図であり、図７はストッパー等を有する底部に他の例の補助脚を取り付けた場合の縦断面図であり、図８はポット部の底部の孔をポット部内から見た説明図であり、図９は補助脚を取り付けた育苗用トレーを重ね合わせた状態の断面図であり、図１０は本発明に係る１例の育苗用トレーの一部を省略した斜視図であり、図１１は本発明に係る１例の育苗用トレーの一部を示す平面図である。なお、育苗用トレー１の説明については前記した図１０、図１１および便宜上同一符号を使用して説明する。
【００１１】
先ず図１に示すような本発明の補助脚１０を取り付ける一例の育苗用トレー１（図１０、図１１参照）は、前記したように合成樹脂で一体的に形成されたものであって、四隅に脚部２を形成し、平面視矩形状の平面部（繋ぎ部）１１に複数の植木鉢状のポット部３を縦・横方向に規則正しく形成したものである。各ポット部３は、平面部（繋ぎ部）１１から下方にそれぞれ突出した独立のものであって、円形状（または略正方形状）の底部４の中央に丸孔５を有し、この丸孔５以外の底部４の環状の部分６に多数の小孔７を有し、さらに側壁部８の全周にわたって所定間隔毎に複数の縦長のスリット（通気孔）９を有している。また、この育苗用トレー１は、脚部２を設置面１２（図４参照）に載置したとき、各ポット部３の底部４と設置面１２との間に隙間１３が生じるように形成されている。また、この育苗用トレー１（（図９参照）は、補助脚１０をポット部３に取り付けた状態で他の同じ育苗用トレー１に、それぞれのポット部３を係合させて嵩張らずに重ね合わすことができる。勿論、育苗用トレー１は、補助脚１０を取り付けない状態でも重ね合わすことができる。
【００１２】
前記したようにこの育苗用トレー１は、合成樹脂によって形成されているのである程度撓む。そのため、苗の育成のために各ポット部３に用土を充填して苗を植え付けて育成している間に、用土の重みや自重等によって育苗用トレー１の特に中央部分のポット部３が垂れ下がり、設置面１２に近接または当接することになる。
【００１３】
このポット部３の垂れ下がりを防止するのが本発明の補助脚１０(図１〜図３参照)である。この補助脚１０は、一端部１４から他端部１５にかけて漸次拡開形成された中空な截頭円錐形状の補助脚本体１６に、嵌着部１７と、複数の通気孔１８およびフランジ部２０を設けたものである。そして補助脚１０は、全体を合成樹脂によって一体形成してある。
【００１４】
前記嵌着部１７は、係止部１７ａと、この係止部１７ａに隣接形成された環状の嵌合溝部１７ｂとからなる。係止部１７ａは、補助脚本体１６の一端部１４（補助脚本体１６の小径側）の外面側の４箇所に、９０度間隔を以って隆起円弧状に形成したものであり外側方に突出している。補助脚本体１６に形成した係止部１７ａの外径は、前記育苗用トレー１のポット部３の丸孔５の径より僅かに大きい。係止部１７ａに隣接して補助脚本体１６の外側には、嵌合溝部１７ｂが形成されている。嵌合溝部１７ｂの径は、ポット部３の丸孔５の径と略同じ大きさである。また、嵌合溝部１７ｂの溝幅１９は、ポット部３の底部４の厚さと略同じである。なお、係止部１７ａの形状、数は、図示の例に限定されるものではなく、補助脚１０を育苗用トレー１のポット部３に嵌着できれば、如何なる形状、数に設計変更するも自由である。
【００１５】
また、補助脚本体１６の高さ寸法１６ａ（図２参照）は、各ポット部３の底部４（図４参照）と前記設置面１２との間の隙間１３の距離より少し短い寸法である。勿論、各ポット部３の高さ寸法１６ａは、前記隙間１３の距離と同じ寸法であってもよい。また、補助脚本体１６の他端部１５（補助脚本体１６の大径側）には、ポット部３が垂れ下がったときに設置面１２に当接するフランジ部２０が形成してある。なお、この係止部１７ａは、補助脚本体１６の一端部１４（補助脚本体１６の小径側）の外面側の４箇所以上に形成するも、或いは４箇所以下に形成するも自由である。
【００１６】
また、補助脚本体１６の周壁部１６ｂには、所定間隔を以って複数の縦長な長方形状の通気孔１８が形成されている。通気孔１８は当然ながら中空な補助脚本体１６の内側まですべて貫通した孔である。なお、通気孔１８の形状、大きさ、数、周壁部１６ｂへの形成位置については、補助脚１０の強度に問題を生じることなく、通気機能を有するならば、適宜変更してよい。
【００１７】
なお、図示の例では補助脚本体１６の一端部１４に切り込みを形成してないが、補助脚本体１６の一端部１４に、周端面１４ａから適宜長さの切り込み(図示せず)を、所定間隔を以って係止部１７ａを形成した部分以外の箇所に形成することにより、係止部１７ａをポット部３の底部４の孔５に嵌入する時に、係止部１７ａを形成した一端部１４の一部が撓んでさらに容易に嵌入することができる。勿論、図示の例でもポット部３の底部４の孔５の周辺部や、係止部１７ａが撓んで容易に嵌入することができる。
【００１８】
この補助脚１０を使用する場合（図４参照）は、前記した育苗用トレー１の適宜の複数のポット部３の底部４の孔５に、補助脚１０の係止部１７ａ側を挿入する。この場合、ポット部３の底部４並びに補助脚１０の係止部１７ａは、挿入する力によって弾性変形するため、係止部１７を簡単にポット部３内に挿入でき、係止部１７に隣接形成された嵌合溝部１７ｂをポット部３の底部４の孔５の周辺部５ａに嵌めることができる。
【００１９】
このようにして補助脚１０を育苗用トレー１のポット部３に取り付けることによって、育苗用トレー１の各ポット部３に用土を充填して種や苗を植え付け、この育苗用トレー１を所望の設置場所（設置面１２）に載置して育成する。
【００２０】
日時の経過とともに育苗用トレー１の各ポット部３は、用土等の重みによる平面部（繋ぎ部）１１の撓みによって垂れ下がっていく。しかし、前記各ポット部３には補助脚１０が取り付けてあるので、ある程度垂れ下がると補助脚１０のフランジ部２０が設置面１２に当接し、ポット部３の垂れ下がりを阻止することになる。そのため、育苗用トレー１の各ポット部３と設置面１２との間は、常に一定（補助脚１０の高さ寸法１６ａから係止部１７ａの厚みを引いた寸法）以上の隙間を保持することができる。
【００２１】
それゆえに、補助脚１０に形成した通気孔１８と相まって、育苗用トレー１のポット部３の下の通気状態を常に良好に保つことができ、苗の生育に支障をきたすことがない。
【００２２】
図７は他の例の育苗用トレー１のポット部３に、図５に示す補助脚１０を取り付けた図である。なお、前記例の育苗用トレー１並びに補助脚１０と同一の構成箇所については同一符号を付して詳細な説明を省略する。この例の育苗用トレー１の各ポット部３は、図６に示すように平面視四角形の有底筒状であり、底部４から上部開口２１（図７参照）にかけて漸次拡開形成されている。側壁部８には複数のスリット（図示省略）を有している。底部４には複数の小孔７を有している。
【００２３】
この各ポット部３の底部４の中央に形成された孔５（図８参照）には、対峙する２箇所に連通する拡張孔部２２が形成されている。さらに、底部４の内側には、孔５の周囲に１対のストッパー２３、２４と、１対の傾斜部２５、２６とが形成されている。
【００２４】
すなわち、前記各拡張孔部２２の傍には、円弧状に隆起したストッパー２３、２４が対峙するように形成してある。これらの各ストッパー２３、２４と所定間隔を以って対峙する位置にはストッパー２３、２６が形成してある。各傾斜部２５、２６は、拡張孔部２２から各ストッパー２３、２４側にかけて漸次高くなるように形成してある。また、ストッパー２３と傾斜部２５との間隔２７、並びにストッパー２４と傾斜部２６との間隔２８は、後述する補助脚１０の各係止部１７ｃを嵌合できる間隔にしてある。勿論、これらの間隔２７、２８は、各係止部１７の長さ（円周方向の長さ）より少し大きくてもよい。
【００２５】
一方、この育苗用トレー１の補助脚１０の各ポット部３に取り付ける補助脚１０（図５参照）は、前記した例と同様に合成樹脂によって全体を一体形成したものであって、一端部１４から他端部１５にかけて漸次拡開形成された截頭角錐形状の補助脚本体１６に、一端部１４に嵌着部１７（嵌合溝部１７ｂと係止部１７ｃ）と前記と同様の通気孔１８を有している。
【００２６】
係止部１７ｃは、補助脚本体１６の一端部１４（補助脚本体１６の小径側）の外側の対峙する２箇所に、隆起円弧状に形成したものであり外側方に突出している。
【００２７】
前記拡張孔部２２（図６参照）は、係止部１７ｃの大きさより少し大きく形成してある。そして各係止部１７ｃ（図５〜図８参照）は、この補助脚１０を育苗用トレー１のポット部３に取り付ける時に、底部４の孔５の対応する拡張孔部２２からポット部３内に挿入する。この時、係止部１７ｃに隣接する嵌合溝部１７ｂは、底部４を嵌合する位置に配されることになる。そして補助脚１０を右に回すことにより、各係止部１７ｃは、各傾斜部２５、２６を摺動して各ストッパー２３、２４と各傾斜部２５、２６との隙間２７、２８に嵌まり込む。この時、嵌合溝部１７ｂは、底部４の孔５の周辺部５ａに嵌合することになる。このようにして、この例の補助脚１０は、育苗用トレー１の所望のポット部３に、容易にかつ外れることのないように取り付けることができる。
【００２８】
この例の場合も前記の例と同様に、各ポット部３が用土等の重みによって垂れ下がっても、各ポット部３に補助脚１０を取り付けることにより、各ポット部３と設置面１２との間は常に一定以上の隙間を保持することができる。それゆえに、補助脚１０の通気孔１８と相まって、育苗用トレー１のポット部３の下の通気状態を常に良好な状態に保つことができ、苗の生育に支障をきたすことがない。
【００２９】
なお、育苗用トレー１並びに補助脚１０は、合成樹脂以外の弾性部材で形成してもよい。また、補助脚１０を構成する補助脚本体１６は、軸部材であってもよく、また全体形状は丸筒状でも、角筒状でも、丸軸状でも、角軸状でも、截頭円錐軸形状でも、截頭角錐軸形状でもよい。
【００３０】
【発明の効果】
以上、前記した説明でも明らかなように、本発明の補助脚を育苗用トレーのポット部の底部に取り付けることにより、ポット部に充填した用土等の重さによってポット部が垂れ下がっても、補助脚が育苗用トレーの設置面に当接するため、各ポット部と設置面との間は常に補助脚の高さ以上の隙間を保持することができる。そのため育苗用トレーのポット部に形成したスリットと相まって、育苗用トレーのポット部の下の通気状態を常に良好な状態に保つことができ、良好な状態で苗を生育させることができる。
【００３１】
また、前記補助脚の係止部は、育苗用トレーのポット部の底部に形成した各ストッパーと傾斜部との間に嵌まり込んで係止できるようにしてあるので、補助脚は容易にポット部から外れるといったこともない。
【００３２】
【図面の簡単な説明】
【図１】本発明の１例の補助脚の斜視図である。
【図２】本発明の１例の補助脚の縦断面図である。
【図３】本発明の１例の補助脚の平面図である。
【図４】本発明の１例の補助脚を育苗用トレーの所望のポット部に取り付けた場合の縦断面図である。
【図５】他の例の補助脚の斜視図である。
【図６】他の例の補助脚を取り付けたポット部の底部をポット部内から見た説明図である。
【図７】ストッパー等を有する底部に他の例の補助脚を取り付けた場合の縦断面図である。
【図８】ポット部の底部の孔をポット部内から見た説明図である。
【図９】補助脚を取り付けた育苗用トレーを重ね合わせた状態の断面図である。
【図１０】本発明に係る１例の育苗用トレーの一部を省略した斜視図である。
【図１１】本発明に係る１例の育苗用トレーの一部を示す平面図である。
【符号の説明】
１    育苗用トレー
２    脚部
3    ポット部
4    底部
５    孔
５ａ    周辺部
９    スリット（通気孔）
１０    補助脚
１１    平面部（繋ぎ部）
１２    設置面
１３    隙間
１４    補助脚本体の一端部
１５    補助脚本体の他端部
１６    補助脚本体
１７    嵌着部
１７ａ    係止部
１７ｂ    嵌合溝部
１７ｃ    係止部
１８    通気孔
２２    拡張孔部
２３    ストッパー
２４    ストッパー
２５    傾斜部
２５    傾斜部
【図１】
0004027015.tif 000002
【図２】
0004027015.tif 000003
【図３】
0004027015.tif 000004
【図４】
0004027015.tif 000005
【図５】
0004027015.tif 000006
【図６】
0004027015.tif 000007
【図７】
0004027015.tif 000008
【図８】
0004027015.tif 000009
【図９】
0004027015.tif 000010
【図１０】
0004027015.tif 000011
【図１１】
0004027015.tif 000012